(57)【要約】【課題】            二台以上の送風機の風量差の大きな風量切替えを、モータの巻き線仕様やコンデンサー容量によらず、モータの接続方式の切替えによって実現する風量切替ユニットを得る。【解決手段】        モータ６，７と羽根を備えた複数の送風機のそのモータ６，７と電源Ｖの間に入れ、モータ６，７を並列接続から直列接続に、直列接続から並列接続に切替用リレー１０によって切替えて各送風機の風量を切替えるようにする。また、始動時については並列接続で運転するようにする。さらには、自己保持回路を備え、この自己保持回路の開成によりモータを並列に繋ぎ、閉成によってモータを並列接続から直列接続になるようにする。【選択図】          図２
2006170510.tif 000002
【特許請求の範囲】
【請求項１】
モータと羽根を備えた複数の送風機のモータと電源の間に接続し、前記各モータを並列接続から直列接続に、直列接続から並列接続に切替手段によって切替えることができるようにした風量切替ユニット。
【請求項２】
請求項１に記載の風量切替ユニットであって、初期設定はモータを並列に繋ぐ並列接続であり、スイッチの切替操作で前記モータを並列接続から直列接続に繋ぐようにした風量切替ユニット。
【請求項３】
請求項１に記載の風量切替ユニットであって、自己保持回路を備え、この自己保持回路の開成によりモータを並列に繋ぎ、閉成によってモータを並列接続から直列接続になるようにした風量切替ユニット。
【請求項４】
請求項１〜請求項３までのいずれかに記載の風量切替ユニットであって、各モータがノッチを複数持つものについて、直列接続のときのノッチを選択できるようにした風量切替ユニット。
【発明の詳細な説明】
【技術分野】
【０００１】
本発明は、複数台の送風機から構成される送風システムや給気用の送風機と排気用の送風機を備えた換気装置の電源と送風機との間に接続し、送風機の風量を切替え得るようにする風量切替ユニットに関するものである。
【背景技術】
【０００２】
送風機の風量切替えは、送風機のモータの巻き線仕様により行っているものが多い。モータの巻き線仕様により風量を切替えるようにしたものが、特許文献１に開示されている。
【０００３】
【特許文献１】特開平１０−２３８８３０号公報
【発明の開示】
【発明が解決しようとする課題】
【０００４】
モータの巻き線仕様による風量切替えでは、大風量時と小風量時の差を大きくすると、巻き線が増えてしまいモータサイズが大きくなる。また、コンデンサー容量を切替えて風量を切替えるようにすると、コンデンサーを追加しなくてはならず、機種毎にコンデンサーを選定しなくてはならない。いずれにしろ大風量と小風量の比は、通常１００対６０程度にしており、これ以上大きな風量差を付けることは難しかった。二台以上の送風機を備えた換気装置や送風システムでも、多くが巻き線仕様の同じモータによる送風機によって、例えば給気風量と排気風量の風量切替えを行っている。
【０００５】
本発明は、上記した課題を解決するためになされたものであり、その目的とするところは、二台以上の送風機の風量差の大きな風量切替えを、モータの巻き線仕様やコンデンサー容量によらず、電源と送風機との間に接続するだけで、大きい風量差をもって切替えることができる風量切替ユニットを開発することである。
【課題を解決するための手段】
【０００６】
上記課題を解決するために本発明は、モータと羽根を備えた複数の送風機のモータと電源の間に接続し、各モータを並列接続から直列接続に、直列接続から並列接続に切替手段によって接続方式を切替えるようにする手段を採用する。
【発明の効果】
【０００７】
本発明によれば、電源と送風機の間に接続するだけで、複数の送風機のそのモータを並列接続から直列接続に、直列接続から並列接続に接続方式を切替えることができ、風量差の大きな風量切替えが可能になる。従って、モータサイズの大型化を伴わずに簡単に風量切替えを実現でき、送風システムや給排気換気装置に容易に適用でき汎用性も高い。
【発明を実施するための最良の形態】
【０００８】
本発明の風量切替ユニットは、例えば、給気用と排気用の送風機一つずつを備えた換気装置に適用される。換気装置の送風機の各モータは同一巻き線仕様で、電源に運転スイッチと強弱切替えスイッチを介して接続されている。風量切替ユニットは、切替用リレーを主体に構成され、運転スイッチ及び強弱切替えスイッチと送風機の各モータの間に設けられ、コネクター及び端子台により電源側とモータ側の回路が接続される。切替用リレーは、強弱切替えスイッチの弱接点に直列に接続される。この切替用リレーの二つの常閉接点が、並列接続された各モータの強ノッチに接続され、二つの常開接点が各モータの弱ノッチに接続される。運転スイッチを入れ、強弱切替えスイッチを強にすると、各送風機のモータは並列接続となり、定格の電源電圧１００Ｖが各モータに印加され、各送風機は大風量で運転する。強弱切替えスイッチを弱にすると、切替用リレーが励磁され、その二つの常閉接点が開き、常開接点が閉じて電源に繋がり、各送風機のモータは直列接続となり、定格の電源電圧１００Ｖが分圧されて各モータに略５０Ｖ印加され、流れる電流も小さくなり、各送風機は小風量で運転する。このように、モータを並列接続から直列接続に接続方式を風量切替ユニットによって切替えることにより弱運転時の各送風機の風量を４０%以下に落とすことができる。従って、換気装置を風量差の大きな風量切替えを可能にすることができ、モータサイズの大型化やコンデンサーの追加等を伴わずに簡単に微弱風量に風量切替えできる。
【０００９】
実施の形態１．
図１は、本実施の形態の風量切替ユニットを適用した熱交換換気装置の構成図、図２は風量切替ユニットの回路構成図、図３は、送風システムに適用した風量切替ユニットの回路構成図である。この熱交換換気装置は、図１に示すように室外の空気を室内へ給気するための給気風路１と、室内の空気を室外へ排気する排気風路２を備えている。給気風路１には給気流を形成する給気用の送風機３が、排気風路２には排気流を形成する排気用の送風機４がそれぞれ設けられている。給気風路１と排気風路２は一部において交差しており、この交差部に空気対空気で熱交換を行う熱交換器５が組込まれている。各送風機３，４の各モータ６，７は、同一巻き線仕様で特強、強、弱の複数のノッチを有し、並列に接続されている。熱交換換気装置には電源Ｖに直列に運転スイッチ８と強弱切替えスイッチ９が設けられている。
【００１０】
風量切替ユニットＵは、切替手段としての切替用リレー１０を主体に構成され、運転スイッチ８及び強弱切替えスイッチ９と各送風機３，４の各モータ６，７の間に設けられ、各モータ６，７のノッチに接続されるコネクター１１と、端子台１２とによりモータ側と電源側が接続される。各ノッチにはコネクター１１が接続され、ジャンパー線によってノッチが選択される(図２では、強のノッチが選択されているが、特強のノッチを選択することもできる)。切替用リレー１０は、強弱切替えスイッチ９の弱接点に直列に接続される。この切替用リレー１０の二つの常閉接点１３が、並列接続された各モータ６，７の特強又は強ノッチに接続され、二つの常開接点１４が各モータ６，７の弱ノッチに接続される。
【００１１】
運転スイッチ８を入れ、強弱切替えスイッチ９を強にすると、各送風機３，４のモータ６，７は並列接続となり、定格の電源電圧１００Ｖが各モータ６，７に印加され、各送風機３，４は特強又は強の大風量で運転する。強弱切替えスイッチ９を弱にすると、切替用リレー１０が励磁され、その二つの常閉接点１３が開き、常開接点１４が閉じて電源Ｖに繋がり、各送風機３，４のモータ６，７は直列接続となり、定格の電源電圧１００Ｖが分圧されて各モータ６，７に略５０Ｖ印加され、流れる電流も小さくなり、各送風機３，４は小風量で運転する。このように、送風機３，４のモータ６，７を並列接続から直列接続に接続方式を風量切替ユニットＵによって切替えることにより弱運転時の各送風機３，４の風量を選択した特強又は強のノッチの風量の４０%以下に落とすことができる。このように風量切替ユニットＵを入れるだけで、熱交換換気装置を風量差の大きな風量切替えを可能にすることができ、送風機３，４のモータサイズの大型化やコンデンサーの追加等を伴わずに簡単に微弱風量に風量切替えできる。従って、居住時の換気風量と非居住時の換気風量に大きな風量差が要求される常時換気を目的とする熱交換換気装置に接続すれば、好適である。この風量切替ユニットＵは、既設の給排気換気装置などにも広く適用でき、汎用性が高い。
【００１２】
この風量切替ユニットＵは、図３に示すような送風システムに適用することもできる。即ち、各部屋に設けられた排気用又は給気用の複数の換気扇１５で構成される送風システムに挿入し、各換気扇１５を並列接続から直列接続に、直列接続から並列接続に切替えるようにする。微弱風量にしたい時には直列接続に切替える。これにより、住宅全体を常時換気する微弱風量での換気もできる送風システムとすることができる。風量切替ユニットＵとしては、各換気扇１５と電源Ｖとの間にそれぞれ切替用リレー１０と常開接点１４と常閉接点１３を入れる回路構成を採る。この場合、定格電圧１００Ｖで、同一モータの換気扇１５による送風システムでは、直列接続のときには約２５Ｖ相当が各モータに掛かり、通常の約７０％減の風量となる。
【００１３】
実施の形態２．
図４，図５に示す本実施の形態は、風量切替ユニットに微弱入スイッチと微弱切スイッチを設けたものであり、基本的には実施の形態１のものと同じである。従って、実施の形態１のものと同じ部分については、実施の形態１のものと同じ符号を付し、それらについての説明は省略する。
【００１４】
図４の回路構成図に示すように、本実施の形態の風量切替ユニットＵには微弱入スイッチ１６と微弱切スイッチ１７が設けられている。微弱入スイッチ１６は、押しボタンスイッチで、押している間だけ接点が繋がり、接点が繋がったときは保持リレー操作入力１８が励磁される。保持リレー操作入力１８は特強・強・弱に切替え得る端子台１２を介し、各送風機３，４のモータ６，７にその強／弱切替え接点部１９で繋がっている。微弱切スイッチ１７は、押すとその接点が開くもので、押すことにより保持リレー操作入力１８を消磁し自己保持回路を開成する。各送風機３，４のモータ６，７は、その巻き線でノッチの切替えが可能になっている。
【００１５】
運転スイッチ８を入れた状態では、微弱入スイッチ１６は開放していて、保持リレー操作入力１８は励磁されず、その強／弱切替え接点部１９も開放している。従って、各送風機３，４のモータ６，７は並列接続となり、定格の電源電圧１００Ｖが各モータ６，７に印加され、各送風機３，４は大風量で運転し、大風量での熱交換換気が行われる。特強に挿入されていればさらに大風量の特強で運転される。ここで、強弱切替えスイッチ９を弱にしても同様である。強弱切替えスイッチ９を弱にし、微弱入スイッチ１６を押すと、保持リレー操作入力１８が励磁され、その接点が閉じ保持リレー操作入力１８は自己保持されるとともに、そのもう一つの強／弱切替え接点部１９も動作し、各送風機３，４のモータ６，７は直列接続になる。
【００１６】
直列接続では定格の電源電圧１００Ｖが分圧されて各モータ６，７に略５０Ｖが印加され、流れる電流も小さくなり、各送風機３，４は小風量で運転し、小風量での熱交換換気が行われる。微弱入スイッチ１６を押さないと各送風機３，４のモータ６，７は、並列接続で運転するため、その始動時の起動は保証される。微弱切スイッチ１７を押すと、保持リレー操作入力１８が消磁し、各送風機３，４は並列接続となり大風量で運転する。これ以外の機能は実施の形態１のものと同じである。なお、図５に示すように例えば、換気扇１５が四台の送風システムに対しても適用することができる。
【図面の簡単な説明】
【００１７】
【図１】熱交換換気装置を示す構成図である。（実施の形態１）
【図２】風量切替ユニットの回路構成図である。(実施の形態１）
【図３】送風システムに適用した風量切替ユニットの回路構成図である。(実施の形態１）
【図４】風量切替ユニットの回路構成図である。(実施の形態２）
【図５】送風システムに適用した風量切替ユニットの回路構成図である。(実施の形態２）
【符号の説明】
【００１８】
３  送風機、  ４  送風機、  ６  モータ、  ７  モータ、  ９  強弱切替えスイッチ、  １０  切替用リレー、  １５  換気扇、  １６  微弱入スイッチ、  １７  微弱切スイッチ、  １８  保持リレー操作入力、  １９  強／弱切替え接点部、  Ｕ  風量切替ユニット、  Ｖ  電源。
【図１】
2006170510.tif 000003
【図２】
2006170510.tif 000004
【図３】
2006170510.tif 000005
【図４】
2006170510.tif 000006
【図５】
2006170510.tif 000007